(57)【要約】【課題】ルーバの形状を変形させることなく、ルーバを取り付けることが可能なルーバ、空気調和機及び空気調和機の組立方法を提供することを目的とする。【解決手段】ルーバ１４は、室内ユニットの本体部に形成された吹出し口に設置される板状のルーバ本体１５と、ルーバ本体１５とは別体の棒状部材であって、一端側が本体部に形成された差し込み穴１９に回動可能に支持され、他端側がルーバ本体１５に接続されるシャフト１６とを備える。【選択図】図４
2019135432.tif 000002
【特許請求の範囲】
【請求項１】
室内ユニットの本体部に形成された吹出し口に設置される板状のルーバ本体と、
前記ルーバ本体とは別体の棒状部材であって、一端側が前記本体部に形成された差し込み穴に回動可能に支持され、他端側が前記ルーバ本体に接続されるシャフトと、
を備えるルーバ。
【請求項２】
前記シャフトの前記他端に爪部が形成され、
前記ルーバ本体の端部において、前記爪部が係合する第１係合部が形成されている請求項１に記載のルーバ。
【請求項３】
前記シャフトの前記他端に回り止め部が形成され、
前記ルーバ本体の端部において、前記回り止め部が挿入される、前記回り止め部の回動を抑制する第２係合部が形成されている請求項１又は２に記載のルーバ。
【請求項４】
前記シャフトの前記一端において、前記シャフトの径方向に突出した突出部が形成されている請求項１から３のいずれか１項に記載のルーバ。
【請求項５】
請求項１から４のいずれか１項に記載のルーバと、
前記ルーバが設置される吹出し口が形成された本体部と、
を備える空気調和機。
【請求項６】
吹出し口が形成された本体部と、
前記吹出し口に設置される板状のルーバ本体と、
前記ルーバ本体とは別体の棒状部材であって、前記本体部に設けられた差し込み穴にて回動可能なシャフトと、
を備える空気調和機の組立方法であって、
前記シャフトを前記ルーバ本体に接続する前において、前記シャフトの一端を前記差し込み穴に挿入するステップと、
前記一端が前記差し込み穴に挿入された前記シャフトの他端を前記ルーバ本体に接続するステップと、
を有する空気調和機の組立方法。
【発明の詳細な説明】
【技術分野】
【０００１】
本発明は、ルーバ、空気調和機及び空気調和機の組立方法に関するものである。
【背景技術】
【０００２】
空気調和機の室内機には、室内側へ空気を吹き出す吹出し口が設けられ、吹出し口を開閉したり、吹出し口から吹き出される空気の風向を調整するルーバが設置される。ルーバは、一方向に長い板状部材であって、ルーバの両端部に設置されたシャフトが室内機のパネルに取り付けられる。ルーバは、シャフトによってパネルに対して回動可能である。
下記の特許文献１には、吹出し口において、左右風向板群が支軸で回動自在に軸支され、上下風向板が左右風向板群の前方に回動自在に軸支されることが記載されている。
【先行技術文献】
【特許文献】
【０００３】
【特許文献１】特開平１１−１１８１８６号公報
【発明の概要】
【発明が解決しようとする課題】
【０００４】
ルーバの回動軸となるようにルーバに設けられるシャフトは、従来、ルーバと一体成形され、ルーバから外方向へ突出して設けられている。そのため、シャフトは、一方のシャフトの端部から他方のシャフトの端部までの長さが、吹出し口の長さよりも長い。ルーバが吹出し口に設置されているとき、両方のシャフトは、パネルの差し込み穴に挿入されている。したがって、室内機の組み立て時、ルーバをパネルに取り付ける場合、ルーバの一方のシャフトを片方の差し込み穴に挿入した後、ルーバ本体を撓ませてから、他方のシャフトをもう片方の差し込み穴に挿入する必要があった。
【０００５】
組み立て時、ルーバを一旦撓ませたことによって、直線状のルーバが緩やかに曲がったままとなる場合がある。そのため、元の直線状の形状へ戻すため、ルーバがパネルに取り付けられた後、ルーバ本体を反対側に撓ませるなどの作業が必要になる場合がある。
【０００６】
本発明は、このような事情に鑑みてなされたものであって、ルーバの形状を変形させることなく、ルーバを取り付けることが可能なルーバ、空気調和機及び空気調和機の組立方法を提供することを目的とする。
【課題を解決するための手段】
【０００７】
上記課題を解決するために、本発明のルーバ、空気調和機及び空気調和機の組立方法は以下の手段を採用する。
すなわち、本発明に係るルーバは、室内ユニットの本体部に形成された吹出し口に設置される板状のルーバ本体と、前記ルーバ本体とは別体の棒状部材であって、一端側が前記本体部に形成された差し込み穴に回動可能に支持され、他端側が前記ルーバ本体に接続されるシャフトとを備える。
【０００８】
この構成によれば、ルーバ本体が、室内ユニットの本体部に形成された吹出し口に設置され、差し込み穴に挿入されたシャフトによって回動可能である。シャフトはルーバ本体と別体であって、シャフトの他端はルーバ本体に接続される構成を有している。したがって、シャフトをルーバ本体に接続する前において、一端のシャフトを差し込み穴に挿入し、かつ、ルーバ本体を吹出し口に設置してから、他端のシャフトをルーバ本体に接続できる。よって、ルーバ本体を吹出し口に設置する際、ルーバ本体を撓ませる必要がないため、ルーバ本体の形状を変形させることなく、ルーバを吹出し口に取り付けることができる。
【０００９】
上記発明において、前記シャフトの前記他端に爪部が形成され、前記ルーバ本体の端部において、前記爪部が係合する第１係合部が形成されてもよい。
【００１０】
この構成によれば、シャフトの他端に形成された爪部が、ルーバ本体の端部において形成された第１係合部に係合することによって、シャフトの他端がルーバ本体に接続される。
【００１１】
上記発明において、前記シャフトの前記他端に回り止め部が形成され、前記ルーバ本体の端部において、前記回り止め部が挿入される、前記回り止め部の回動を抑制する第２係合部が形成されてもよい。
【００１２】
この構成によれば、シャフトの他端に形成された回り止め部が、ルーバ本体の端部において形成された第２係合部に挿入されることによって、回り止め部の回動が抑制されるため、シャフトとルーバ本体が相対的に回動することを防止できる。
【００１３】
上記発明において、前記シャフトの前記一端において、前記シャフトの径方向に突出した突出部が形成されてもよい。
【００１４】
この構成によれば、シャフトの一端において突出部が、シャフトの径方向に突出して形成されることによって、シャフトが差し込み穴から抜けることを防止したり、シャフトの回動範囲を規制したりすることができる。
【００１５】
本発明に係る空気調和機は、上記のルーバと、前記ルーバが設置される吹出し口が形成された本体部とを備える。
【００１６】
本発明に係る空気調和機の組立方法は、吹出し口が形成された本体部と、前記吹出し口に設置される板状のルーバ本体と、前記ルーバ本体とは別体の棒状部材であって、前記本体部に設けられた差し込み穴にて回動可能なシャフトとを備える空気調和機の組立方法であって、前記シャフトを前記ルーバ本体に接続する前において、前記シャフトの一端を前記差し込み穴に挿入するステップと、前記一端が前記差し込み穴に挿入された前記シャフトの他端を前記ルーバ本体に接続するステップとを有する。
【発明の効果】
【００１７】
本発明によれば、ルーバの形状を変形させることなく、ルーバを取り付けることができる。
【図面の簡単な説明】
【００１８】
【図１】本発明の一実施形態に係る天井埋込み型空気調和機の室内ユニットを示す下面図である。
【図２】図１のII−II線で切断した縦断面図である。
【図３】本発明の一実施形態に係る天井パネルを示す斜視図である。
【図４】本発明の一実施形態に係るルーバを示す分解斜視図である。
【図５】本発明の一実施形態に係るルーバを示す斜視図である。
【図６】本発明の一実施形態に係るシャフトを示す斜視図である。
【図７】本発明の一実施形態に係るシャフトを示す側面図である。
【図８】本発明の一実施形態に係るシャフトを示す正面図である。
【図９】本発明の一実施形態に係るルーバを示す縦断面図である。
【図１０】本発明の一実施形態に係るルーバ及びシャフトを示す分解斜視図である。
【図１１】本発明の一実施形態に係るルーバ及びシャフトを示す斜視図である。
【図１２】本発明の一実施形態に係る天井パネルを示す部分分解斜視図である。
【図１３】本発明の一実施形態に係る天井パネルを示す部分斜視図である。
【図１４】従来のルーバを示す分解斜視図である。
【図１５】従来のルーバを示す斜視図である。
【図１６】従来の天井パネルを示す部分分解斜視図である。
【図１７】従来の天井パネルを示す部分斜視図である。
【発明を実施するための形態】
【００１９】
以下に、本発明の一実施形態に係る天井埋込み型空気調和機について、図面を参照して説明する。
天井埋込み型空気調和機（以下「空気調和機」という。）は、室内ユニット１と、室外ユニット（図示せず。）と、室内ユニット１及び室外ユニットとを結ぶ冷媒配管（図示せず。）などを備える。
室内ユニット１は、ケース本体２が天井に埋込まれて設置される。ケース本体２の内部には、図２に示すように、熱交換器７、ドレンパン１０、モータ５、送風機６、ベルマウス１２等が内蔵され、このケース本体２の下部には天井面に露出する天井パネル８が装着される。図１は、室内ユニット１を室内側から見た、すなわち室内ユニット１の下面から見た下面図であり、図２は、図１のII−II線で切断した縦断面図である。図３は、室内ユニット１の下面から天井パネル８を見た斜視図である。図３では、天井パネル８の４隅のカバー及び中央部の吸込みグリル１１が取り外された状態を示している。
【００２０】
室内ユニット１の下面中央部には吸込み口３が形成され、この吸込み口３に隣接した位置に、室内ユニット１の下面外周部に沿って一方向に長い吹出し口４が形成される。吸込み口３には、吸込みグリル１１と、吸込みグリル１１の上方にフィルタ１３とが設置される。ドレンパン１０は、熱交換器７の下部に設けられ、熱交換器７から滴下するドレン水を受ける。ベルマウス１２は、ドレンパン１０の下部に設けられる。天井パネル８は、吹出し口が形成された本体部の一例である。
【００２１】
空気調和機が運転すると、図示しない室外ユニットからの冷媒が熱交換器７を循環し、モータ５によって送風機６が駆動される。送風機６の駆動によって、室内空気が吸込み口３から吸込みグリル１１、フィルタ１３を通り、ベルマウス１２に案内されて送風機６へ吸入される。そして、吸入された空気は、熱交換器７を通過することで、冷却又は加熱され、その後、吹出し口４から室内へ吹き出される。
【００２２】
吹出し口４にはルーバ１４が設置される。図４及び図５に示すように、ルーバ１４は、板状部材であるルーバ本体１５と、ルーバ本体１５の端部に接続されるシャフト１６を有し、吹出し口４から吹き出される空気流の風向を変更する。ルーバ１４は、吹出し口４を開閉する機能を有する場合もある。
【００２３】
ルーバ本体１５は、吹出し口４の形状に合わせて一方向に長く、ルーバ１４は、長手方向に対して平行な軸周りに回動する。これにより、ルーバ１４の向きが変更されることによって、吹出し口４から吹き出される空気流が上向きとなったり又は下向きとなったりする。
【００２４】
ルーバ本体１５の長手方向における両側の端部には、シャフト１６が接続される。シャフト１６の軸方向は、ルーバ本体１５の長手方向に対して平行であり、ルーバ本体１５から突出して接続される。シャフト１６は、ルーバ本体１５とは別体の棒状部材である。シャフト１６には、図３及び図１３に示すように、ルーバ１４を回動させる駆動用のモータ９が接続される。
【００２５】
図５に示すように、シャフト１６がルーバ本体１５に接続され、シャフト１６が差し込み穴１９に支持されることによって、シャフト１６の軸周りにルーバ１４が回動する。すなわち、ルーバ１４は、長手方向に対して平行な軸周りに回動する。
【００２６】
差し込み穴１９は、例えば室内ユニット１の天井パネル８に設置される支持部材１７に形成される。支持部材１７は、差し込み穴１９が形成される筒部１８を有し、筒部１８は、例えば天井パネル８から吊り下げられるように設けられる。筒部１８に形成された差し込み穴１９は、軸方向の両側の端部が開口しており、一端から他端へかけてシャフト１６を貫通させることができる。差し込み穴１９の内部にてシャフト１６は軸周りに回動可能である。
【００２７】
図４〜図８に示すように、シャフト１６には、一端側において径方向に突出した突出部２０が形成されており、シャフト１６の中心から突出部２０の先端までの長さは、差し込み穴１９の半径よりも大きい。これにより、シャフト１６の差し込み穴１９からの抜けが防止される。また、シャフト１６が回動したとき、シャフト１６の突出部２０が支持部材１７に当接するように構成することによって、ルーバ１４の回動範囲を規制することもできる。
【００２８】
ルーバ本体１５の両端には、ルーバ本体１５の長手方向に対して垂直な板状のフランジ２１が設けられている。フランジ２１には係合穴２２が形成される。図９に示すように、係合穴２２は、シャフト１６の爪部２５が係合する第１係合部２３と、シャフト１６の回り止め部２６が挿入される第２係合部２４を有する。
【００２９】
図６〜図８に示すように、シャフト１６の他端には、爪部２５と、回り止め部２６が形成される。
爪部２５は、シャフト１６の端部において、シャフト１６の軸方向に対して平行に設けられる。爪部２５の先端２５ａは、シャフト１６の径方向に突出している。図１０及び図１１に示すように、シャフト１６の爪部２５が、係合穴２２の第１係合部２３に挿入され、先端２５ａがルーバ本体１５のフランジ２１に係止される。これにより、シャフト１６の係合穴２２からの抜けが防止される。
【００３０】
回り止め部２６は、シャフト１６の端部において、シャフト１６の軸方向に対して平行に設けられる。回り止め部２６の周方向は、シャフト１６が回動したとき、回り止め部２６が第２係合部２４に当接するように構成されている。例えば、シャフト１６の端部をシャフト１６の軸方向に対して平行に見たとき、回り止め部２６は、Ｌ字形状を有する。また、第２係合部２４は、回り止め部２６に対応した開口形状を有する。これにより、シャフト１６が回動したとき、回り止め部２６の外周面が第２係合部２４の外周面に当接して、回り止め部２６が第２係合部２４に係り合い、シャフト１６のルーバ本体１５に対する回動が防止される。
【００３１】
次に、天井埋込み型空気調和機の室内ユニット１におけるルーバ１４の取り付け方法について説明する。
【００３２】
まず、ルーバ本体１５とシャフト１６が接続されず、別々の部品とされた状態で、図１２に示すように、ルーバ本体１５を吹出し口４の内部に設置する。このとき、一方のシャフト１６は、片方の差し込み穴１９に挿入される。これに対し、他方のシャフト１６は、ルーバ本体１５に接続されていないことから、ルーバ本体１５を曲げることなく、ルーバ本体１５を吹出し口４の内部に設置できる。
【００３３】
次に、もう片方の支持部材１７の差し込み穴１９の両側の開口のうち、ルーバ本体１５から遠い方の開口からシャフト１６を挿入し、シャフト１６をルーバ本体１５に接続する。このとき、図１０及び図１１に示すように、シャフト１６の爪部２５をフランジ２１に形成された係合穴２２の第１係合部２３に挿入し、回り止め部２６を第２係合部２４に挿入する。これにより、シャフト１６がルーバ本体１５に接続される。
【００３４】
シャフト１６の爪部２５が、係合穴２２の第１係合部２３に挿入されることによって、シャフト１６の係合穴２２からの抜けが防止される。また、回り止め部２６が第２係合部２４に挿入されることによって、シャフト１６のルーバ本体１５に対する回動が防止される。
【００３５】
図１４〜図１７に示すように、従来、ルーバ５４の回動軸となるシャフト５６は、ルーバ本体５５と一体成形され、ルーバ本体５５から外方向へ突出して設けられており、一方のシャフト５６の端部から他方のシャフト５６の端部までの長さは、吹出し口４の長さよりも長い。そのため、室内機の組み立て時、ルーバ５４を天井パネル８に取り付ける場合、図１６に示すように、ルーバ５４の一方のシャフト５６を片方の差し込み穴５９（図１４参照）に挿入した後、ルーバ本体５５を撓ませてから、他方のシャフト５６をもう片方の差し込み穴５９に挿入していた。さらに、両端のシャフト５６が両方の差し込み穴５９に挿入された後、径方向に突出した突出部６０を有する補助部材６１（図１４参照）がシャフト５６に接続される。
【００３６】
これに対し、本実施形態によれば、シャフト１６はルーバ本体１５と別体であって、シャフト１６の他端はルーバ本体１５に接続される構成を有している。他端のシャフト１６をルーバ本体１５に接続する前において、図１２に示すように、一端のシャフト１６を片方の支持部材１７の差し込み穴１９（図４参照）に挿入しつつ、ルーバ本体１５を吹出し口４に設置する。そして、その状態で、他端のシャフト１６を、もう片方の支持部材１７の差し込み穴１９へ挿入して、シャフト１６をルーバ本体１５に接続する。よって、ルーバ本体１５を吹出し口４に設置する際、ルーバ本体１５を撓ませる必要がないため、ルーバ本体１５の形状を変形させることなく、ルーバ１４を吹出し口４に取り付けることができる。
【００３７】
すなわち、従来、組み立て時、ルーバ本体５５を一旦撓ませたことによって、直線状のルーバ５４が緩やかに曲がったままとなる場合があるが、本実施形態では、ルーバ１４が必ず直線状の形状のままであるため、ルーバ本体１５を反対側に撓ませるなどの作業が不要である。
【００３８】
また、本実施形態のシャフト１６は、突出部２０が形成されており、突出部２０によって、シャフト１６の差し込み穴１９からの抜けが防止されたり、シャフト１６の回動範囲が規制されたりする。したがって、シャフト１６に突出部２０が予め設けられていることから、従来のように別体の補助部材６１をシャフト１６に接続する必要がなく、部品点数を少なくしたり作業工程を低減したりすることができる。
【符号の説明】
【００３９】
１      ：室内ユニット
２      ：ケース本体
３      ：吸込み口
４      ：吹出し口
５      ：モータ
６      ：送風機
７      ：熱交換器
８      ：天井パネル
９      ：モータ
１０    ：ドレンパン
１１    ：吸込みグリル
１２    ：ベルマウス
１３    ：フィルタ
１４    ：ルーバ
１５    ：ルーバ本体
１６    ：シャフト
１７    ：支持部材
１８    ：筒部
１９    ：差し込み穴
２０    ：突出部
２１    ：フランジ
２２    ：係合穴
２３    ：第１係合部
２４    ：第２係合部
２５    ：爪部
２５ａ  ：先端
２６    ：回り止め部
５４    ：ルーバ
５５    ：ルーバ本体
５６    ：シャフト
５９    ：差し込み穴
６０    ：突出部
６１    ：補助部材
【図１】
2019135432.tif 000003
【図２】
2019135432.tif 000004
【図３】
2019135432.tif 000005
【図４】
2019135432.tif 000006
【図５】
2019135432.tif 000007
【図６】
2019135432.tif 000008
【図７】
2019135432.tif 000009
【図８】
2019135432.tif 000010
【図９】
2019135432.tif 000011
【図１０】
2019135432.tif 000012
【図１１】
2019135432.tif 000013
【図１２】
2019135432.tif 000014
【図１３】
2019135432.tif 000015
【図１４】
2019135432.tif 000016
【図１５】
2019135432.tif 000017
【図１６】
2019135432.tif 000018
【図１７】
2019135432.tif 000019